(57)【要約】      （修正有）【課題】本発明は一般家庭は勿論のこと室内で加熱調理する際に発生する油煙・臭気等の蒸散物を調理時に昇降機能を有する吹込み管の下降により排煙を効率的に行い室内天井・壁面周囲の汚れを防ぐと共に非使用時には上昇し天井面にインテリアととしての調和を保ち更に取付面でも昇降機能を有し乍らも天井裏の奥行の浅い建物にも対応できる換気装置とする。【解決手段】下方開口に幾段かの重なり合った吹込み口を有しその重なり部を上・下に昇降式とし天井面に収納することによって空間を損わない構造とする。【選択図】図１
2006242551.tif 000002
【特許請求の範囲】
【請求項１】
天井面側に支持され幾段かの重なり合った吹込み口が吹込み口下端で天井面からの複数本の吊りロープによって連結されそのロープは装置上部にある複数溝のある巻取りリールの回転により複数本のロープが同時に作動し幾段かの吹込み口いわゆる吹込み管を静かに昇降可能とした昇降機能を有する換気装置。
【請求項２】
吹込み管は各々の吹込み管上・下部にコの字の折曲げ形状を有しその曲げ水平部にはパッキンを備へ各々の吹込み管の当り面の密着性を高めると同時に摺動面には内側にローラーを設けることにより昇降時の振れを無くしたスムーズな動きを提供し更にローラーが回転することにより吹込み管壁面に傷を発生させないことを特徴とする請求項１記載の換気装置。
【請求項３】
上昇時に吸気口が天井面近くまで収納可能なため室内の重圧感はなくしかも見え掛りの外観にデザイン例えば木目調を施すことによりインテリア性の高いことを特徴とする請求項１又は２記載の換気装置。
【請求項４】
吹込み管最下端内側にデザインのメッシュ部を更にその奥に目詰り時に交換が簡単なフィルターを設けている請求項１乃至３のいずれかに記載の換気装置。
【発明の詳細な説明】
【技術分野】
【０００１】本発明は室内天井面に取付けられる昇降機能を備えた換気装置に関するものである。
【背景技術】
【０００２】一般家庭は勿論のこと室内で加熱する際に、発生する油煙・蒸気等を効率的に屋外へ排出できないために、室内での異臭や天井・壁面・カーテン・家具等によごれを生じさせる原因を取除く本発明は室内天井面から昇降可能な下方開口に幾段かの重なり合った吹込み口を有する換気装置で解決しようとするものである。
【発明の開示】
【発明が解決しようとする課題】
【０００３】室内で加熱調理に効率よく油煙・蒸気等を排出できさらに収納時に、空間を損わない換気装置を提供することにある。
【課題を解決するための手段】
【０００４】技術的手段として請求項１は天井面側に支持され幾段かの重なり合った吹込み口が吹込み口下端で天井面からの複数本の吊りロープによって連結されそのロープは装置上部にある複数溝のある巻取りリールの回転により複数本のロープが同時に作動し幾段かの吹込み口いわゆる吹込み管を静かに昇降可能とした昇降機能を有することを特徴とする。
昇降機能は天井側にロープの径よりも少し大きい目の見掛けは溝を有する複数重ねの巻取りリールを備え滑車を介して他端は下端の吹込み口に固定され巻取りリールをモーター等を動力源として回転させれば天井側から幾段からなる吹込み管が順序良く水平を保ち乍ら加熱調理部に向って下降し所定の位置に停止し所期の目的を達成するものである。【０００５】請求項２は吹込み管は各々の吹込み口上・下部にコの字の折曲げ形状を有しその曲げ水平部にはパッキンを備え各々の吹込み口の当り面の密着性を高めると同時に摺動面には内側にローラーを設けることにより昇降時の振れを無くしたスムーズな動きを提供し更にローラーが回転することにより吹込み口壁面に傷を発生させないことを特徴とする。【０００６】請求項３は上昇時に吸気口が天井面近くまで収納可能なため室内の重圧感はなくしかも見え掛りの外観にデザイン例えば木目調を施すことによりインテリア性が高いことを特調とする。ここでデザイン例えば木目調は塗装することで充分室内空間を害わぬ演出が可能となる。【０００７】また請求項４は吹込み口最下端内側にデザインのメッシュ部を更にその奥に目詰り時に交換が簡単なフィルターを設けてあるここでフィルターの交換は下降時に更に吸込み口最下端が手動で降ろせる二段構造（リンク機構）となっているため目線以下での作業となりしかもフィルターもワンタッチで交換できる機能を備えてある。他の特徴として下部のリンク機構はロープと共に最下端のメッシュ・フィルターを内蔵した部品の落下の二重安全の役目を果たしている。
【発明の効果】
【０００８】以上のように本発明によれば
（１）室内で加熱調理事に発生する油煙・臭気等の蒸散物を的確に捕集し室内の環境作りに役立つ目的でのこの装置は前述の通り吸込み管を所定の位置まで下降させることにより実現できる。しかも目詰まり時のフィルターの交換が下部に二段構造を備えているため目線以下での作業ができ安全である。
（２）また非使用時には天井面近くまで上昇し収納可能なため室内の重圧感を解消し設置に好みの塗装その他を施すことによりインテリア性としての格調の高いものとなる。
【実施例】
【０００９】以下図面に基づいて説明する。
図−１〜図−４は本発明に関する一例を示す。【００１０】天井仕上高さ面を境に上部に駆動機構・排気機能を下部に幾段からなる昇降する吸込み管９を有する。【００１１】駆動機構は駆動モーター１・駆動プーリー２・巻取りリール３・ロープ４と支持台５・滑車６で構成される。
駆動モーター１から伝達回転される巻取りリール３は見掛けは複数溝を加工した様な深い溝形状を有しておりロープ４を個々の溝位置で複数回重ねてよじれることなく巻くことが可能である。巻取りリール３のロープ５の他端は最下端の吹込み口に連結固定するが道中の支持台５の滑車６には複数のどの部分のロープ４も常時水平になるように支持台５のレベルを設定し巻取りリール３の深溝部に磨耗を生じさせないよう考慮してある。【００１２】排気機能は天井上部に換気装置取付け用穴を設け吸気口８に通じる排気ダクト管は天井空間を利用する。最下端の吸込み口１２から吸込まれた油煙・臭気等の蒸散物が幾段からなる昇降する吸込み管９内を通り天井上部に設けられた数ヵ所の吸気口より前記の排気ダクト管に通じ排気口より排気される。この時排気ファンの取付け場所にもよるがこの換気装置に見合った排気ファンを設置する。【００１３】幾段からなる昇降する吸込み管９は最下端にデザインメッシュ１０・フィルター１１を収納する吸込み口１２がある。
幾段かの吸込み管９は各々の吸込み管９の上・下部にコの字の折曲げ形状９−１を有しその吸込み管９を下方に向って内寸法を順次大きく取り幾段か重ねて吸込み管を構成する。
各々の吸込み管９の下部のコの字の折曲げ部９−１にはローラー９−２を設けて摺動する際の摩擦を少なくしたスムーズな動き・昇降時の振れを防ぐと共に吸込み管９の壁面に傷を発生させない。さらにコの字の折曲げの水平部にはパッキン９−３を備え各々の吸込み管９の密着を高め気密性を保つと同時にコの字の折曲げ部９−１の組合わせにより落下防止がされている。
また最下端の吹込み口７は通常使用の下端位置より更に下げられる二段構造になっておりこの最下端の吹込み口に収納してあるフィルター１１の目詰り時の交換が目線以下の作業となりしかもフィルター１１はワンタッチで交換できる機能を備えている。
【図面の簡単な説明】
【図１】  本発明の収納時（上昇時）の姿を示す。
【図２】  使用時（下降時）の姿を示す。
【図３】  フィルタ−交換時（さらに下降時）の姿を示す。
【図４】  巻取りリールのロープ溝部の姿を示す。
【符号の説明】
１    駆動モーター              ９    吸込み管
２    駆動プーリー              ９−１  折り曲げ部
３    巻取りリール              ９−２  ローラー
４    ロープ                    ９−３  パッキン
５    支持台                    １０    デザインメッシュ
６    滑  車                    １１    フィルター
７    吹込み口下端              １２    吹込み口
８    吸気口
【図１】
2006242551.tif 000003
【図２】
2006242551.tif 000004
【図３】
2006242551.tif 000005
【図４】
2006242551.tif 000006